(57)【要約】      （修正有）【課題】コストダウンと同時にシート保持力の確保、端末カット部の危険性除去、作業効率の改善ができるシート止めスプリングを提供する。【解決手段】左右対称の略台形が反転して連続する波型凹凸にして、挿入時の手への負荷を軽減し、端末カット部１０を斜めにカットすることでシート破損防止機能を高めてなる。又、線径２ｍｍの硬鋼線を用いたもので、全長２ｍの長さのスプリングに１ユニット１１を１６個と両端の４分の１のユニット１２の長さのものを収め、しかも山部５の高さを３６．５ｍｍ、山部５の直線部が３３ｍｍに設定されてなり、これにより従来の線径２．３ｍｍの硬鋼線を用いたものと同等のシート保持力約５００ｋｇを有し、かつ前記製品より重量を低減させてなる。【選択図】図７
2014093999.tif 000002
【特許請求の範囲】
【請求項１】
線径２ｍｍから２．３ｍｍの硬鋼線を用いたいわゆる農業用ビニールハウスにおける樹脂製シート固定用の連続した波型凹凸を持つ一定幅のスプリングにおいて、前記波型凹凸の山部及び連続する谷部が同形同寸で左右対称の略台形が反転して連続する形状のため、シート止用溝を有する条材に山部と谷部を交互に挿入するときに手への負荷は同等となって挿入作業を楽にせしめ、しかも両端部が前記略台形の脚の中間部でカットし斜めにすることでシート破損防止機能を高めてなる高機能シート止スプリング。
【請求項２】
線径２ｍｍの硬鋼線を用いてなるもので、前記略台形の谷部の中間部から前記略台形の山部を挟んで次の谷部の中間点までの長さを１ユニットとしてこれを全長２ｍの前記シート止スプリングに按配するとき、１６個の前記ユニットと両端に連続するそれぞれ４分の１のユニットの長さで収まり、しかもシート止用溝を有する条材の溝に対する押圧を高めるため山部の高さを３６．５ｍｍ程度、かつシート保持力を高めるために山部の直線部が３２ｍｍから３３ｍｍに設定されてなり、これにより従来の線径２．３ｍｍの硬鋼線を用いた２ｍのシート止スプリングと同等のシート保持力約５００ｋｇを有し、かつ前記製品より重量を低減させてなる請求項１記載の高機能シート止スプリング。
【発明の詳細な説明】
【技術分野】
【０００１】  本発明は、いわゆる農業用ビニールハウスにおけるシート止用溝を有する条材に挿入する一定幅の連続した波型凹凸を持つシート止スプリングに関するものである。
【背景技術】
【０００２】  従来、いわゆる農業用ビニールハウスに被覆用の樹脂製シートを展張するために、断面が上底の無い略台形の前記シート止用溝を有する条材に前記樹脂製シートを落としこみ、その上から前記一定幅の連続した前記シート止スプリングを手で撓めながら強制的に挿入して樹脂製シートを係止するものが一般的に広く利用されてきた。前記一定幅の連続した波型凹凸を持つシート止スプリングの山部の高さは、前記シート止用溝を有する条材の溝幅より大きくなっていて、これを順次前記シート止用溝を有する条材に強制的に挿入すれば前記溝幅との差により外向きの強い押圧が発生して前記樹脂製シートを係止するというものである。【０００３】  一般的には、前記シート止スプリングは線径２ｍｍ及び２．３ｍｍの硬鋼線を用いて一定幅の連続した波型凹凸に加工されてなる。前記波型凹凸の数は、山部の数で２ｍあたり１８個が標準とされているが前記山部の高さは３５ｍｍから３５．５ｍｍとなっている。山の幅は２５ｍｍ程度。これを前記溝幅が３０ｍｍ程度の前記シート止用溝を有する条材の溝に強制的に挿入すれば前記波型凹凸を持つシート止スプリングは前記シート止用溝を有する条材に圧縮されて外向きの強い押圧を発生させる。０．２ｍｍ厚の農業用ビニールシートを用いた場合の前記波型凹凸を持つシート止スプリングのシート保持力は、線径２．３ｍｍの硬鋼線を用いた場合に前記シート止スプリング２ｍあたり５００ｋｇに達する。線径２ｍｍの硬鋼線の場合はこの数値より当然小さくなる。強風地帯や降雪地帯といった前記樹脂製シートに強い引っ張り力が掛かる場合には前記シート保持力の大きい線径２．３ｍｍのものを、標準地帯には２ｍｍのものが主に使われている。【０００４】  従来の前記シート止スプリングを詳しく説明すると、前記波型凹凸は略台形といっても左右対称ではなく、上底と左右の台形の脚との接続する屈曲部の曲線半径が左右異なっている。左右の台形の脚が同じなので、この形状が反転して前記連続した波型凹凸を構成すれば隣り合う山の上底部と谷をなす反転した上底部同士は平行にならない。前記シート止用溝を有する条材の溝に挿入したとき押圧を高める目的からとされている。【０００５】  更に言えば、従来の前記シート止スプリングは挿入時扱いやすいようにほとんどが２ｍの長さでカットされているが、両端は全て前記波型凹凸の山部の中間又は谷部の中間でカットされている。つまり、前記シート止用溝を有する条材の溝にほぼ平行に接触する。この形状では前記樹脂製シートが風や雪の重さで引っ張られたとき前記両端が前記樹脂製シートに食い込む形になるのでピンホールを生じさせ、風などの影響で更にシート破れになったり、雨水進入による前記シート止用溝を有する条材の腐食といった問題が生じていた。【０００６】  このピンホールや破れを防止するために前記シート止スプリングの両端を樹脂で被覆する手段や、又は前記シート止スプリング全体を樹脂で被覆するといった製品も普及している。
【発明の開示】
【発明が解決しようとする課題】
【０００７】  従来の技術でも述べたように、いわゆるビニールハウスに被覆用の前記樹脂製シートを展張するために、断面が上底の無い略台形のシート止用溝を有する条材に前記樹脂製シートを落としこみ、その上から前記一定幅の連続したシート止スプリングを手で撓めながら強制的に挿入して樹脂製シートを係止するものが一般的に広く長期間利用されてきた。構造も単純で強度もありハウス栽培農業の発展に大きく寄与した重要な手段であった。しかし、社会状況の変化によってもたらされた厳しいコスト低減の要求はこの重要な手段にも降りかかっている。追い討ちを掛けるように、近年の地球温暖化による異常気象は、従来経験したことの無かった気象現象例えば竜巻やダウンバーストといった突風、異常とさえ思える集中豪雨による前記いわゆるビニールハウスの倒壊など多発していて、再建には多大な費用が必要となり前記ハウス栽培農業の存続に関わるものである。【０００８】  前記シート止スプリングに関する解決すべき課題を整理すると、更なるコストダウン、と同時に前記樹脂製シート保持力の確保といった品質維持、前記シート止スプリングの端末カット部の安全化、更には前記樹脂製シート展張時の省力といったクリアーせねばならない諸点がある。これら課題の解決は全て農作物のコストダウンにつながるものといえる。
【課題を解決するための手段】
【０００９】  請求項１に関して云えば、線径２ｍｍから２．３ｍｍの硬鋼線を用いたいわゆる農業用ビニールハウスにおける前記樹脂製シート固定用の連続した波型凹凸を持つ一定幅のスプリングにおいて、前記波型凹凸の山部及び連続する谷部が同形同寸で左右対称の略台形が反転して連続する形状のため、シート止用溝を有する条材に山部と谷部を交互に挿入するときに手への負荷は同等となって挿入作業を楽にせしめ、しかも両端部が前記略台形の脚の中間でカットし斜めにすることでシート破損防止機能を高めてなる高機能シート止スプリングを得る。【００１０】  請求項２に関して云えば、線径２ｍｍの硬鋼線を用いてなるもので、前記略台形の谷部の中間点から前記略台形の山部を挟んで次の谷部の中間点までの長さを１ユニットとしてこれを全長２ｍの前記シート止スプリングに按配するとき、１６個の前記ユニットと両端に連続するそれぞれ４分の１のユニットの長さで収まり、しかも前記シート止用溝を有する条材の溝に対する押圧を高めるため山部の高さを３６．５ｍｍ程度、かつシート保持力を高めるために山部の直線部が３２ｍｍから３３ｍｍに設定されてなり、これにより従来の線径２．３ｍｍの硬鋼線を用いた２ｍのシート止スプリングと同等のシート保持力約５００ｋｇを有し、かつ前記製品より重量を低減させてなる請求項１記載の高機能シート止スプリングを得る。
【発明の効果】
【００１１】  本発明は、請求項１に関して云えば、挿入作業時の手の負担も小さくなり、しかも樹脂製シートのピンホールや破れの原因も除去できる効果を有する。【００１２】  請求項２に関して云えば、線径が２ｍｍの硬鋼線であっても、独自のデザインでスプリングの強度をアップし、それにより従来の線径２．３ｍｍの硬鋼線を用いた２ｍのシート止スプリングと同等のシート保持力約５００ｋｇ程度を確保でき、しかも使用線材の長さも同等かもしくは短縮できるのでコストダウンの可能性が高い。
【発明を実施するための最良の形態】
【実施例】
【００１３】  本発明の実施例を図１から図７を使用し説明する。図１はシート止用溝を有する条材２に高機能シート止スプリング１を挿入する状態を示す斜視図で、高機能シート止スプリング１は線径が２ｍｍ又は２．３ｍｍの硬鋼線に亜鉛メッキを施したものを金型歯車で所定の形状に加工し同時に端末カット部１０を連続的にカットして得る。シート止用溝を有する条材２は外寸で幅３１．５ｍｍで高さが１１．５ｍｍの汎用なものを前提とする。又、端末カット部１０はＰＶＣパウダーを溶着させてもよい。同形同寸で左右対称の略台形が反転して連続する形状のため、シート止用溝を有する条材２に挿入するときに交互に向きを変えて曲げる力は同等になる。【００１４】  図２は本発明の高機能シート止スプリング１と比較するためのもので、従来のシート止スプリングの形態を示す平面図。素材は本発明の高機能シート止スプリング１と同様に線径が２ｍｍ又は２．３ｍｍの硬鋼線を用いている。波型凹凸１８の略台形は左右対象ではない。小さな半径の曲線１５と大きな半径の曲線１６で構成され、そのため、シート止用溝を有する条材２に挿入するときに交互に向きを変えて曲げる力は同等にならない。【００１５】  図３は本発明の高機能シート止スプリング１の形状の特徴と両端カット部１０の位置を示す平面図である。図２と比較すると、山部５と谷部６が７略台形の脚７を共有しながら交互に反転連続して波型凹凸１８を構成していることがわかる。端末カット部１０の位置は、図４で示すように従来の一般的なシート止スプリング８の端末カット部１０の位置が傾斜した山部１３もしくは傾斜した谷部１４にあるのと異なり、略台形の脚の中間部９に設ける。端末カット部１０が斜めに形成されることにより樹脂製シート３に引っ張りの力が掛かってもシート破損を防止できる。【００１６】  図５は請求項２の実施例で、線径が２ｍｍの硬鋼線を使用する高機能シート止スプリング１の１ユニット１１の形状と寸法を示す。２ｍにカットされた製品ではこのユニット１１が１６個と左右の端末カット部１０つまり４分の１ユニット１２で構成される。従来の一般的なシート止スプリング８の高さは約３５．５ｍｍ程度だが本実施例では３６．５ｍｍと高くしてあり、しかも山部５の直線部の長さも前記従来の一般的なシート止スプリング８の傾斜した山部１３のそれよりも５ｍｍ長く３３ｍｍとしてシート保持力を大きくしている。つまりシート用溝４に接触する長さは従来の一般的なシート止スプリング８のそれが９００ｍｍであるのに対し、１０８９ｍｍとなりからである。線径が２ｍｍの硬鋼線を使用する高機能シート止スプリング１と線径が２．３ｍｍの硬鋼線を使用した従来の一般的なシート止スプリング８とのシート保持力は約５００ｋｇとほぼ同等であった。【００１７】  図６では、シート止用溝を有する条材２に高機能シート止スプリング１の両端カット部１０を重ねて連続挿入する例を示す。端末カット部１０が斜めに形成されることにより樹脂製シート３に引っ張りの力が掛かってもシート破損を防止できる。【００１８】  図７では本発明の請求項２の実施例を端末カット部１０を含めた図を示す。
【産業上の利用可能性】
【００１９】  本発明は上記のように構成されているので、いわゆる農業用ビニールハウスのシート止スプリングを小さな力でも挿入しやすくし又シート破損を防止できるなどと高機能化でき、しかもコストダウンの可能性も高いので前記いわゆる農業用ビニールハウス用の資材として有用である。
【図面の簡単な説明】
【００２０】
【図１】本発明の実施例で、シート止用溝を有する条材に高機能シート止スプリングを挿入する状態を示す斜視図である。
【図２】従来の一般的なシート止スプリングの形態を示す平面図。
【図３】本発明の高機能シート止スプリングの形状の特徴と両端カット部の位置を示す平面図である。
【図４】従来のシート止スプリングの両端のカットを示す概念図である。
【図５】本発明の高機能シート止スプリングにおける請求項２の実施例で１ユニットを示す寸法図である。
【図６】本発明の実施例で、シート止用溝を有する条材に高機能シート止スプリングの両端を重ねて連続挿入する例を示す平面図
【図７】本発明の高機能シート止スプリングにおける請求項１の実施例を示す平面図である。
【符号の説明】
【００２１】  １  高機能シート止スプリング
２  シート止用溝を有する条材
３  樹脂製シート
４  シート止用溝
５  山部
６  谷部
７  略台形の脚
８  従来の一般的なシート止スプリング
９  略台形の脚の中間部
１０  端末カット部
１１  １ユニット
１２  ４分の１ユニット
１３  傾斜した山部
１４  傾斜した谷部
１５  小さな半径の曲線
１６  大きな半径の曲線
１７  左右対称の半径を持つ曲線
１８  波型凹凸
１９  引っ張りの力
【図１】
2014093999.tif 000003
【図２】
2014093999.tif 000004
【図３】
2014093999.tif 000005
【図４】
2014093999.tif 000006
【図５】
2014093999.tif 000007
【図６】
2014093999.tif 000008
【図７】
2014093999.tif 000009